(57)【要約】【課題】  予め定めた力以上の外力が遊技機に加わったか否かを特定する。【解決手段】  スロットマシン１３を段ボール１６に収納した状態では、押圧部材１１と感圧シート１２とは一定の間隔を保って対面する。段ボール１６に外力が加わると、押圧部材１１と感圧シート１２との距離が当接し、押圧部材１１が感圧シート１２を押圧する。押圧部材１１に加わる外力の大きさが大きくなるにつれて、感圧シート１２を押圧する第１〜第４突出部の数が増えるとともに、それぞれが感圧シート１２に当接する領域も外力によって弾性変形して広くなるので、第１〜第４突出部は外力の大きさに応じて感圧シート１２を押圧する領域を広くする。【選択図】        図２
2005308481.tif 000002
【特許請求の範囲】
【請求項１】
遊技機又は前記遊技機が収納される遊技機用梱包容器に取り付けられ、圧力が加えられた領域を表示する感圧シートと、
前記感圧シートと対面するように前記遊技機又は前記遊技機用梱包容器に取り付けられ、前記感圧シートに向けて突出する突出部を有する押圧部材とを備え、前記遊技機又は前記遊技機用梱包容器に外力が加わった場合に前記突出部が前記感圧シートを押圧することを特徴とする遊技機用衝撃検出装置。
【請求項２】
前記突出部を、それぞれが伸縮自在で、互いに突出量が異なるように複数形成し、複数のうちのいずれかの前記突出部が前記感圧シートを押圧し、かつ、前記感圧シートを押圧している突出部よりも突出量の小さい前記突出部が前記感圧シートを押圧していない状態で、前記遊技機又は前記遊技機用梱包容器に外力が加わった場合に、前記感圧シートを押圧している前記突出部が縮んで、前記感圧シートを押圧している前記突出部とともに、前記感圧シートを押圧している突出部よりも突出量の小さい前記突出部が前記感圧シートを押圧することを特徴とする請求項１記載の遊技機用衝撃検出装置。
【請求項３】
前記感圧シートに、前記遊技機用梱包容器に収納される前記遊技機に対応した識別情報を記したことを特徴とする請求項１又は２記載の遊技機用衝撃検出装置。
【請求項４】
前記感圧シートと前記押圧部材とを一体にし、前記遊技機又は前記遊技機用梱包容器のいずれか一方に取り付けたことを特徴とする請求項１ないし３のいずれかに記載の遊技機用衝撃検出装置。
【請求項５】
圧力が加えられた領域を表示する感圧シートを遊技機又は前記遊技機が収納される遊技機用梱包容器に取り付け、前記感圧シートに向けて突出する突出部を有する押圧部材を前記感圧シートと対面するように前記遊技機又は前記遊技機用梱包容器に取り付けて前記遊技機を前記遊技機用梱包容器に収納することを特徴とする遊技機の梱包方法。
【発明の詳細な説明】
【技術分野】
【０００１】
本発明は、遊技機に加えられた衝撃を検知する遊技機用衝撃検出装置に関するものである。
【背景技術】
【０００２】
スロットマシンなどの遊技機はパチンコ店などの遊技場で使用される。遊技場に設置される遊技機を搬送する場合には、遊技機が一台づつ段ボールによって梱包された状態で搬送される。遊技場では、梱包されている遊技機が一台づつ開梱されて設置される。
【発明の開示】
【発明が解決しようとする課題】
【０００３】
ところで、遊技機を段ボールに梱包する際には、搬送時に外力が加わって遊技機が破損することのないように、遊技機とともに緩衝剤を梱包することが一般である。しかしながら、遊技機には液晶パネルや制御回路基板などの精密機器が内部の機構に組み込まれているものもあり、遊技機内部の機構は搬送中の落下や転倒など僅かな外力が加わるだけで破損してしまうことがあった。また、外見上は破損したように見えなくても上記のような外力が加わることによって故障してしまうこともあり、遊技機の設置後に遊技機が正常に動作しないことがあった。このため、遊技機の設置作業の工程として、遊技機の内部の点検及び動作確認の作業が含まれており、遊技機の設置作業が手間のかかるものとなっていた。また、遊技機の組み立て工程での作業の失敗、遊技機の搬送中の遊技機の取り扱いの不備、遊技機の遊技場での設置作業での作業者の操作ミスなどいずれの作業で遊技機が破損や故障に至ったのかを特定できないため、遊技機の破損や故障に対する補償を求める相手が特定できないという問題があった。
【０００４】
本発明は、上記課題を解決するためになされたもので、予め定めた力以上の外力が遊技機に加わったか否かを特定できるようにした遊技機用衝撃検出装置及び遊技機の梱包方法を提供することを目的とする。
【課題を解決するための手段】
【０００５】
上記目的を達成するために、本発明の遊技機用衝撃検出装置は、遊技機又は前記遊技機が収納される遊技機用梱包容器に取り付けられ、圧力が加えられた領域を表示する感圧シートと、前記感圧シートと対面するように前記遊技機又は前記遊技機用梱包容器に取り付けられ、前記感圧シートに向けて突出する突出部を有する押圧部材とを備え、前記遊技機又は前記遊技機用梱包容器に外力が加わった場合に前記突出部が前記感圧シートを押圧するものである。
【０００６】
なお、前記突出部を、それぞれが伸縮自在で、互いに突出量が異なるように複数形成し、複数のうちのいずれかの前記突出部が前記感圧シートを押圧し、かつ、前記感圧シートを押圧している突出部よりも突出量の小さい前記突出部が前記感圧シートを押圧していない状態で、前記遊技機又は前記遊技機用梱包容器に外力が加わった場合に、前記感圧シートを押圧している前記突出部が縮んで、前記感圧シートを押圧している前記突出部とともに、前記感圧シートを押圧している突出部よりも突出量の小さい前記突出部が前記感圧シートを押圧することが好ましい。
【０００７】
また、前記感圧シートに、前記遊技機用梱包容器に収納される前記遊技機に対応した識別情報を記したことが好ましい。
【０００８】
また、前記感圧シートと前記押圧部材とを一体にし、前記遊技機又は前記遊技機用梱包容器のいずれか一方に取り付けることが好ましい。なお、押圧部材及び感圧シートを使用後に回収した場合は、これらを再利用することが好ましい。これにより、遊技機を梱包する際のコストを削減することができる。また、押圧部材及び感圧シートの取り付けは、ネジや粘着シートなど適宜の方法によって取り付けてよい。
【０００９】
また、本発明の遊技機の梱包方法は、圧力が加えられた領域を表示する感圧シートを遊技機又は前記遊技機が収納される遊技機用梱包容器に取り付け、前記感圧シートに向けて突出する突出部を有する押圧部材を前記感圧シートと対面するように前記遊技機又は前記遊技機用梱包容器に取り付けて前記遊技機を前記遊技機用梱包容器に収納するものである。
【発明の効果】
【００１０】
本発明の遊技機用衝撃検出装置によれば、遊技機又は遊技機用梱包容器に外力が加わった場合に押圧部材の突出部が感圧シートを押圧するので、予め定めた力以上の外力が遊技機に加わったか否かを特定でき、感圧シートの表示から遊技機が破損や故障に至っているか否かを推測することが可能になり、遊技機の設置作業の際に、遊技機の内部の点検及び動作確認の作業を省略することができる。これにより、遊技機の設置作業の効率を高めることができる。また、例えば遊技機の設置作業で遊技機が破損したか否かなど、遊技機の破損や故障の原因となった作業を特定できる。さらには、押圧部材と感圧シートとを遊技機の内部に組み込んだ状態で遊技機を設置すれば、遊技中に故意に遊技機に外力を加えて遊技機を破損や故障に至らせた遊技者を特定することもできる。この場合、押圧部材と感圧シートとを遊技機又は遊技機用梱包容器に搬送時に外力が加わっているか否かの点検に用いたものをそのまま使用すれば、搬送終了時に押圧部材と感圧シートとを回収する作業を省略することができる。
【００１１】
また、前記突出部を、それぞれが伸縮自在で、互いに突出量が異なるように複数形成し、複数のうちのいずれかの前記突出部が前記感圧シートを押圧し、かつ、前記感圧シートを押圧している突出部よりも突出量の小さい前記突出部が前記感圧シートを押圧していない状態で、前記遊技機又は前記遊技機用梱包容器に外力が加わった場合に、前記感圧シートを押圧している前記突出部が縮んで、前記感圧シートを押圧している前記突出部とともに、前記感圧シートを押圧している突出部よりも突出量の小さい前記突出部が前記感圧シートを押圧するので、遊技機や遊技機用梱包容器に加わった外力の度合いを段階的に識別することが可能になり、これにより、加わった外力の大きさを検出することができる。
【００１２】
また、前記感圧シートに、前記遊技機用梱包容器に収納される前記遊技機に対応した識別情報を記したので、感圧シートを回収した後に、外力が加わった遊技機や遊技機用梱包容器を特定することが可能になり、外力が加わった遊技機や遊技機用梱包容器を明確にすることができる。
【００１３】
また、前記感圧シートと前記押圧部材とを一体にし、前記遊技機又は前記遊技機用梱包容器のいずれか一方に取り付けたので、感圧シートと押圧部材との位置決めを行わなくてもとくなり、梱包の際の作業を効率よく行うことができる。
【００１４】
また、本発明の遊技機の梱包方法によれば、圧力が加えられた領域を表示する感圧シートを遊技機又は前記遊技機が収納される遊技機用梱包容器に取り付け、前記感圧シートに向けて突出する突出部を有する押圧部材を前記感圧シートと対面するように前記遊技機又は前記遊技機用梱包容器に取り付けて前記遊技機を前記遊技機用梱包容器に収納するので、予め定めた力以上の外力が遊技機に加わったか否かを特定でき、感圧シートの表示から遊技機が破損や故障に至っていることが推測することが可能になり、遊技機の設置作業の際に、遊技機の内部の点検及び動作確認の作業を省略することができる。これにより、遊技機の設置作業の効率を高めることができる。また、例えば遊技機の設置作業で遊技機が破損したか否かなど、遊技機が破損や故障の原因となった作業を特定できる。さらには、押圧部材と感圧シートとを遊技機の内部に組み込んだ状態で遊技機を設置すれば、遊技中に故意に遊技機に外力を加えて遊技機を破損や故障に至らせた遊技者を特定することもできる。この場合、押圧部材と感圧シートとを遊技機又は遊技機用梱包容器に搬送時に外力が加わっているか否かの点検に用いたものをそのまま使用すれば、搬送終了時に押圧部材と感圧シートとを回収する作業を省略することができる。
【発明を実施するための最良の形態】
【００１５】
図１に示すように、遊技機用衝撃検知装置１０は、押圧部材１１と感圧シート１２とから構成されている。押圧部材１１は、スロットマシン（遊技機）１３の前面に設けられたリール窓１４及び正面パネル１５にそれぞれ２個づつ、計４個設けられる。リール窓１４は透明な樹脂で形成されており、その奥に設けられているリールが視認可能となる。正面パネル１５は樹脂で形成されており、例えばスロットマシン１３の機種名や当選役の種類などが描かれている。スロットマシン１３は、段ボール（遊技機用梱包容器）１６によって梱包される。感圧シート１２は、段ボール１６にスロットマシン１３を収納した状態で、押圧部材１１と対面する位置に段ボール１６の内面に取り付けられる。
【００１６】
図２に示すように、スロットマシン１３を段ボール１６に収納した状態では、押圧部材１１と感圧シート１２とは一定の間隔を保って対面する。段ボール１６に外力が加わると、押圧部材１１と感圧シート１２とが当接し、押圧部材１１が感圧シート１２を押圧する。
【００１７】
図３に示すように、押圧部材１１は弾性を有する材料によって形成されている。押圧部材１１は、円盤状のベース２０と、感圧シート１２に向けて突出するように形成された突出部２１を備えている。突出部２１は、第１突出部２１ａ〜第４突出部２１ｄから構成されている。第１突出部２１ａ〜第４突出部２１ｄは弾性を有する材料で形成されているため、その突出方向に伸縮自在となっており、それぞれの突出量は、第１突出部２１ａ→第２突出部２１ｂ→第３突出部２１ｃ→第４突出部２１ｄの順に次第に小さくなるように形成されている。
【００１８】
第１突出部２１ａは先端部が半球形状の略円柱状に形成されており、その中心軸とベース２０の中心軸とが一致するようにベース２０から突出している。第２突出部２１ｂ〜第４突出部２１ｄは、それぞれ円環状に形成されており、第２突出部２１ｂ→第３突出部２１ｃ→第４突出部２１ｄの順にその直径が大きくなるように形成されている。そして、第２突出部２１ｂ〜第４突出部２１ｄは、それぞれの中心軸がベース２０の中心軸と一致し、第２突出部２１ｂは第１突出部２１ａ、第３突出部２１ｃは第２突出部２１ｂ、第４突出部２１ｄは第３突出部２１ｃをそれぞれ囲むように配置されている。
【００１９】
感圧シート１２は、押圧部材１１の押圧によって圧力が加えられた領域の色が変化する。また、感圧シート１２の色は加えられた圧力の度合いによってさらに変化する。
【００２０】
図４に示すように、例えば、押圧部材１１に予め定められた力以上の外力が加わって、第１突出部２１ａが縮んで、第１突出部２１ａと第２突出部２１ｂとが感圧シート１２を押圧した状態になった場合、感熱シート１２には、第１突出部２１ａが当接した領域が表示１２ａによって表示され、第２突出部２１ｂが当接した領域が表示１２ｂによって表示される。そして、表示１２ａ，１２ｂは、加えられた圧力の度合いに応じてその色が変化する。
【００２１】
また、図５に示すように、例えば、押圧部材１１に予め定められた力以上の外力が加わって、第１〜第３突出部２１ａ〜２１ｃが縮んで、第１〜第４突出部２１ａ〜２１ｄ全てが感圧シート１２を押圧した場合、感圧シート１２には、表示１２ａ，１２ｂに加えて、第３突出部２１ｃが当接した領域が表示１２ｃ、第４突出部２１ｄが当接した領域が表示１２ｄによって表示される。そして、表示１２ａ〜１２ｄは、加えられた圧力の度合いに応じてその色が変化する。
【００２２】
このように、押圧部材１１に加わる外力の大きさが大きくなるにつれて、感圧シート１２を押圧する第１〜第４突出部２１ａ〜２１ｄの数が増えるとともに、それぞれが感圧シート１２に当接する領域も外力によって弾性変形して広くなるので、第１〜第４突出部２１ａ〜２１ｄは外力の大きさに応じて感圧シート１２を押圧する領域を広くする。
【００２３】
なお、感圧シート１２の第１〜第４突出部２１ａ〜２１ｄが当接し得る領域以外のところには、梱包されるスロットマシン１３に対応した製造番号（識別情報）２２が記されており、製造番号２２で記されたスロットマシン１３に対応するように感圧シート１２は段ボール１６に取り付けられる。
【００２４】
次に、上記構成による作用について説明する。スロットマシン１３を梱包するには、先ず、スロットマシン１３のリール窓１４及び前面パネル１５に押圧部材１１を取り付け、段ボール１６の内面で押圧部材１１と対面する位置に、圧力が加えられてない状態の感圧シート１２を取り付ける。そして、段ボール１６内にスロットマシン１３を収納する。梱包されたスロットマシン１３は遊技場に搬送された後に開梱されて設置される。このとき、段ボール１６から感圧シート１２が取り外されて、感圧シート１２は回収される。そして、感圧シート１２に表示１２ａ〜１２ｄのいずれかが表示されている場合、搬送中にスロットマシン１３に予め定められた力以上の外力が加わったか否かを特定できる。また、感圧シート１２に表示される表示１２ａ〜１２ｄの数によって搬送中に加わった外力の度合いを識別できるので、感圧シート１２の表示２０ａ〜２０ｄからスロットマシン１３が破損や故障に至っているか否かを推測することが可能なる。
【００２５】
上記実施形態では、スロットマシン１３に押圧部材１１、段ボール１６に感圧シート１２を設けてスロットマシン１３を梱包したが、図６に示すように、押圧部材１１及び感圧シート１２を備えた段ボール３０にスロットマシン１３を収納してもよい。押圧部材１１及び感圧シート１２を段ボール３０に設けるには、段ボール３０を外シート３０ａと内シート３０ｂとの二重にすることにより実現可能となる。この場合、外シート３０ａの内側に内シート３０ｂを挿入し、外シート３０ａと内シート３０ｂとの間に隙間を設ける。さらに、内シート３０ｂの外面に押圧部材１１、外シート３０ａの内面で押圧部材１１と対面する位置に感圧シート１２を取り付ける。そして、内シート３０ｂの内側にスロットマシン１３を収納する。この場合、押圧部材１１と感圧シート１２との取り付け及び位置決めする手間が省けるため、梱包の際の作業を効率よく行うことができる。また、押圧部材１１と感圧シート１２とスロットマシン１３の内部に取り付けてもよい。
【００２６】
上記実施形態では、遊技機用衝撃検知装置１０を押圧部材１１と感圧シート１２とから構成し、これらを別個に取り付けたが、押圧部材１１と感圧シート１２とを一体にした遊技機用衝撃検知装置をスロットマシン１３又は段ボール１６に設けてもよい。この場合、図７に示すように、例えば、遊技機用衝撃検知装置４０を、押圧部材１１、感圧シート１２、ケース４１から構成する。ケース４１は弾性を有する材料で内部が中空な筒状に形成されている。ケース４１の内面には押圧部材１１が取り付けられ、押圧部材１１と対面するように感圧シート１２もその内面に取り付けられている。そして、例えば、スロットマシン１３の内側にケース４１を取り付けてスロットマシン１３に加わった圧力を識別すればよい。この場合、押圧部材１１と感圧シート１２との取り付け及び位置決めする手間が省けるため、梱包の際の作業を効率よく行うことができる。なお、スロットマシン１３の内側に押圧部材１１と感圧シート１２とを取り付ける場合、例えば液晶パネルなどの精密機器が取り付けられている箇所に押圧部材１１と感圧シート１２とを配置することが好ましい。
【００２７】
上記実施形態では、遊技機用衝撃検知装置１０を４個設けたが、遊技機用衝撃検知装置１０を設ける数及び設ける箇所は適宜に設定してよい。また、押圧部材の形状は第１〜第４突出部２１ａ〜２１ｄとは反対に、中心に向かって複数の突出部の突出量が小さくなるようにするなど適宜の形状にしてよい。また、必ずしも押圧部材は円形状にしなくてもよく、複数の突出部を備えていなくてもよい。また、押圧部材や感圧シートの大きさ、感圧シートと押圧部材との距離、押圧部材と感圧シートの位置関係も取り付け箇所に応じて適宜に設定してよい。さらには、押圧部材が直接感圧シートに当接せずに、例えば押圧部材は緩衝剤などの他の部材を介して感圧シートに圧力を加えるようにしてもよい。
【００２８】
上記実施形態では、梱包容器として段ボールを用いたが梱包容器は段ボールに限らず適宜の容器を用いてよい。
【産業上の利用可能性】
【００２９】
本発明は、スロットマシンに限らず、例えばパチンコ機などの他の遊技機にも適用できる。
【図面の簡単な説明】
【００３０】
【図１】遊技機を段ボールに収納した状態を示す斜視図である。
【図２】押圧部材と感圧シートとの位置関係を示す断面図である。
【図３】押圧部材の構成を示す説明図である。
【図４】押圧部材によって感圧シートに圧力が加わった状態を示す説明図である。
【図５】押圧部材によって感圧シートに圧力が加わった状態を示す説明図である。
【図６】押圧部材と感圧シートとを備えた段ボールの構成を示す断面図である。
【図７】押圧部材と感圧シートとが一体になった遊技機用衝撃検知装置の構成を示す説明図である。
【符号の説明】
【００３１】
１０，４０  遊技機用衝撃検知装置
１１  押圧部材
１２  感圧シート
１６，３０  段ボール（梱包容器）
２１  突出部
【図１】
2005308481.tif 000003
【図２】
2005308481.tif 000004
【図３】
2005308481.tif 000005
【図４】
2005308481.tif 000006
【図５】
2005308481.tif 000007
【図６】
2005308481.tif 000008
【図７】
2005308481.tif 000009